【事件の表示】
　特許第３１２５７２７号に関する訂正審判事件について、次のとおり審決する。
【結　論】
　特許第３１２５７２７号に係る明細書及び図面を本件審判請求書に添付された訂正明細書及び図面のとおり訂正することを認める。
【理　由】
１．請求の要旨
　本件審判の請求の要旨は、特許第３１２５７２７号発明（平成９年９月１８日特許出願（優先権主張平成８年９月１９日）、平成１２年１１月２日設定登録）の明細書及び図面を次のとおりに訂正しようとするものである。
(A)【請求項１】を
「プログラム実行環境
と
と
該当領域に
し、形成したこれらのオブジェクトモジュールを保持
　
保持されている複数のオブジェクトモジュールのうち該当
　生成された各制御パラメータを対応するオブジェクトモジュールに埋め込み可能な形態で実体化する処理と、
　実体化された複数の前記制御
パラメータ
するとともに取得した各制御パラメータを
　をコンピュータに実行させることでコンピュータシステムを構築する方法。」（下線部：訂正箇所）
に訂正する。
(B)【請求項２】を
「
コンピュータが、
、この特定した制御パラメータを
処理を実行する
に訂正する。
(C)【請求項５】を
「予め用意された複数種類のオブジェクトモジュールの各々の
該当
と
と
　このパラメータ生成手段により生成された各制御パラメータをコンピュータ可読の形態で実体化するパラメータ実体化手段
と、
　
 前
　前記制御パラメータが該当領域に埋め込まれた場合にそれぞれ前記中央処理部に於いて前記オブジェクトプログラムとして認識される複数種類のオブジェクトモジュール
を保持するオブジェクトモジュール保持手段
　前記制御
パラメータ
パラメータ
　前記制御
パラメータ
パラメータ
領域
　個々のオブジェクトモジュールと実体化された前記制御パラメータとが分離していることを特徴とするコンピュータシステム。」（下線部：訂正箇所）
に訂正する。
(D)【請求項7】を
「複数のオブジェクトプログラムを切換実行する中央処理部と、
　プログラム実行環境
と
と
を保持するオブジェクトモジュール保持手段
　前記制御
パラメータ
パラメータ
　前記制御
パラメータ
領域
　所定の通信機器との間の通信制御を行う通信制御手段と、
　少なくとも前記通信機器との間で行った通信制御の履歴を表す履歴情報及び前記通信機器への出力対象情報を読出自在に蓄積するデータ記憶手段と
を備
　前記通信制御手段による制御処理と、前記データ記憶手段への情報蓄積及びその読出処理とが、前記複数のオブジェクトプログラムのいずれかを通じて実行される
ものであり、
　 前記通信制御手段は、複数の通信回線の各々に接続された通信機器との間の通信制御を個別的に行うように構成され
ており
前記データ記憶手段は、少なくとも個々の通信機器についての前記履歴情報及び出力対象情報を読出自在に蓄積するように構成されていることを特徴とするコンピュータシステム。」（下線部：訂正箇所）
に訂正する。　
(E)【請求項9】を
「複数のオブジェクトプログラムを切換実行する中央処理部と、
　プログラム実行環境
と
と
を保持するオブジェクトモジュール保持手段
　前記制御
パラメータ
パラメータ
　前記制御
パラメータ
パラメータ
領域
、
　 前記オブジェクトプログラムの実行状態を含むシステム動作状況及びシステム動作環境を監視するとともに異常発生時に異常情報を生成して所定の通信端末へ通知する動作監視手段と
を備
に訂正する。
(F)【請求項１２】を
「プログラム実行環境
と
と
該当領域に
し、形成したこれらのオブジェクトモジュールを保持
　
保持されている複数のオブジェクトモジュールのうち該当
　生成された各制御パラメータを対応するオブジェクトモジュールに埋め込み可能な形態で実体化する処理と、
　をコンピュータに実行させるためのプログラムを記録したコンピュータ読み取り可能な記録媒体。」（下線部：訂正箇所）
に訂正する。
(G)【請求項１３】を
「複数のオブジェクトプログラムを切換実行して所要の処理を実現するコンピュータに於いて、プログラム実行環境
と
と
該当領域に
、形成したこれらのオブジェクトモジユールを保持
　実体化された複数の前記制御
パラメータ
するとともに取得した各制御パラメータを
保持されている複数のオブジェクトモジュールのうち
　を前記コンピュータに実行させるためのプログラムを記録したコンピュータ読み取り可能な記録媒体。」（下線部：訂正箇所）
に訂正する。
(H)明細書中の【０００５】を
「【課題を解決するための手段】　上記課題を解決するため、本発明は、プログラム実行環境と後続処理とを定める制御パラメータが該当領域に埋め込まれた場合にそれぞれ前記オブジェクトプログラムとして機能する複数のオブジェクトモジュールを形成し、形成したこれらのオブジェクトモジュールを保持する処理と、保持されている複数のオブジェクトモジュールのうち該当オブジェクトモジュールへの埋め込み対象となる制御パラメータをインタラクティブに生成する処理と、生成された各制御パラメータを対応するオブジェクトモジュールに埋め込み可能な形態で実体化する処理と、実体化された複数の前記制御パラメータを取得するとともに取得した各制御パラメー夕をそれぞれ該当オブジェクトモジュールの該当領域に埋め込む処理と、をコンピュータに実行させることでコンピュータシステムを構築することを特徴とする。」
に訂正する。　
(I)明細書の【０００６】を
「上記方法において、好ましくは、前記コンピュータが、前記制御パラメータの内容を特定するための入力指定画像を前記オブジェクトモジュールの種類毎に保持しておき、各入力指定画像を所定の表示装置に切換表示させるとともに、該表示に基づいて入力された前記制御パラメータの内容を特定し、特定した制御パラメータをコンピュータ可読の形態で実体化する処理を実行する過程をも含むようにする。実体化された制御パラメータは、対応するオブジェクトモジュールと分離して存在させておく。」
に訂正する。
(J)明細書の【０００８】を
「本発明は、上記方法の実施に適したコンピュータシステムをも提供する。
　第1構成のコンピュータシステムは、予め用意された複数種類のオブジェクトモジュールの各々の所定領域に埋め込まれてプログラム実行環境と後続処理とを定めることにより当該オブジェクトモジュールをオブジェクトプログラムとして機能させるための制御パラメータを、複数種類のオブジェクトモジュールの使用手順に従ってインタラクティブに生成するパラメータ生成手段と、このパラメータ生成手段により生成された各制御パラメータをコンピュータ可読の形態で実体化するパラメータ実体化手段と、前記オブジェクトプログラムを切換実行する中央処理部と、前記制御パラメータが該当領域に埋め込まれた場合にそれぞれ前記中央処理部に於いて前記オブジェクトプログラムとして認識される複数種類のオブジェクトモジュールを保持するオブジェクトモジュール保持手段と、前記制御パラメータを保持する制御パラメータ保持手段と、前記制御パラメータ保持手段で保持されている制御パラメータを所定順序で読み出してそれぞれ該当オブジェクトモジュールの該当箇所に埋め込むモジュール制御手段と、を有し、個々のオブジェクトモジュールと実体化された前記制御パラメータとが分離していることを特徴とする。」
に訂正する。　
(K)明細書の【００１０】を
「第2構成のコンピュータシステムは、複数のオブジェクトプログラムを切換実行する中央処理部と、プログラム実行環境と後続処理とを定める制御パラメータが該当領域に埋め込まれた場合にそれぞれ前記中央処理部に於いて前記オブジェクトプログラムとして認識される複数種類のオブジェクトモジュールを保持するオブジェクトモジュール保持手段と、前記制御パラメータを保持する制御パラメータ保持手段と、前記制御パラメータ保持手段で保持されている制御パラメータを所定順序で読み出してそれぞれ該当オブジェクトモジュールの該当箇所に埋め込むモジュール制御手段と、所定の通信機器との間の通信制御を行う通信制御手段と、少なくとも前記通信機器との間で行った通信制御の履歴を表す履歴情報及び前記通信機器への出力対象情報を読出自在に蓄積するデータ記憶手段とを備え、前記通信制御手段による制御処理と、前記データ記憶手段への情報蓄積及びその読出処理とが、前記複数のオブジェクトプログラムのいずれかを通じて実行されるものであり、前記通信制御手段は、複数の通信回線の各々に接続された通信機器との間の通信制御を個別的に行うように構成されており、前記データ記憶手段は、少なくとも個々の通信機器についての前記履歴情報及び出力対象情報を読出自在に蓄積するように構成されている。」
に訂正する。
(L)明細書の段落【００１１】を削除する。
(M)明細書の【００１４】乃至【００１５】を
「【００１４】本発明は、また、汎用のコンピュータによって上記コンピュータシステムを構築することを可能にする記録媒体を提供する。
　第１記録媒体は、プログラム実行環境と後続処理とを定める制御パラメータが該当領域に埋め込まれた場合にそれぞれ前記オブジェクトプログラムとして機能する複数のオブジェクトモジュールを形成し、形成したこれらのオブジェクトモジュールを保持する処理と、
保持されている複数のオブジェクトモジュールのうち該当オブジェクトモジュールへの埋め込み対象となる制御パラメータをインタラクティブに生成する処理と、
　生成された各制御パラメータを対応するオブジェクトモジュールに埋め込み可能な形態で実体化する処理と、をコンピュータに実行させるためのプログラムを記録したコンピュータ読み取り可能な記録媒体である。
　第２記録媒体は、複数のオブジェクトプログラムを切換実行して所要の処理を実現するコンピュータに於いて、プログラム実行環境と後続処理とを定める制御パラメータが該当領域に埋め込まれた場合にそれぞれ前記オブジェクトプログラムとして認識される複数のオブジェクトモジュールを形成し、形成したこれらのオブジェクトモジュールを保持する処理と、実体化された複数の前記制御パラメータを取得し、取得した各制御パラメータをそれぞれ保持されている複数のオブジェクトモジュールのうち該当オブジェクトモジュールの該当領域に埋め込む処理と、を前記コンピュータに実行させるためのプログラムを記録したコンピュータ読み取り可能な記録媒体である。
【００１５】
【発明の実施の形態】
　次に、図面を参照して本発明の実施の形態を詳細に説明する。図1は、本発明のコンピュータシステムをオンライン式のサービス情報提供システムに適用した場合の実施の形態を示す構成図である。このサービス情報提供システムは、中央処理部(CPU)4、表示装置6、データ入力装置7、及び図示しない記憶装置、通信ボートを備えたコンピュータが所定のサービス提供プログラムを読み取って実行することによって形成される、ボックス保持部1、ボックス制御部2、制御パラメータ管理部3、動作監視部41、データ記憶部5、データ入力装置7、及び通信制御部8の各機能ブロックを具備して構成される。
　本発明の発明特定要素との関係では、オブジェクトモジュールの保持手段がボックス保持部1、モジュール制御手段がボックス制御部2、制御パラメータ保持手段が制御パラメータ管理部3、動作監視手段が動作監視部41、データ記憶手段がデータ記憶部5、通信制御手段がCPU4及び通信制御部8に相当する。なお、上記各機能ブロックを実現するためのサービス提供プログラムは、通常、上記記憶装置に記録され、随時読み出されて実行されるようになっているが、コンピュータとは分離した可搬性記録媒体、例えばCD−ROM(コンパクトディスク型ROM)やDVD(ディジタルビデオディスク)等にコンピュータ可読の形態で記録され、システム構築時に上記記憶装置にインストールされるものであってもよい。また、上記サービス提供プログラムの始点と終点とが明確な場合は、構内ネットワーク等の動的な媒体に記録したものであってもよい。」
に訂正する。
２．当審の判断
　上記訂正について検討するに、いずれの訂正事項(A)乃至(M)も、不明瞭な記載の釈明ないし誤記の訂正に該当する。
　また、上記訂正は、願書に添付した明細書に記載した事項の範囲内のものであり、かつ、実質上特許請求の範囲を拡張し又は変更するものでない。
　そして、訂正後の各請求項に係る各発明が特許出願の際独立して特許を受けることができないとする証拠も見あたらない。
３．むすび
　したがって、本件審判の請求は、特許法第１２６条第１項第１号ないし３号に掲げる事項を目的とし、かつ、同条第２項ないし第５項の規定に適合する。　
　
　よって、結論のとおり審決する。